【手続補正書】
【提出日】平成25年3月22日(2013.3.22)
【手続補正１】
【補正対象書類名】特許請求の範囲
【補正対象項目名】全文
【補正方法】変更
【補正の内容】
【特許請求の範囲】
【請求項１】
第１の側と、前記第１の側とは反対側の第２の側を有するフレームと、
前記第１の側の第１のシート投入口から前記第２の側の第１のシート取出口へと前記フレームを横断して直線状に延びる第１のシート輸送経路と、
前記第１のシート輸送経路に平行で、前記第２の側の第２のシート投入口から前記第１の側の第２のシート取出口へと前記フレームを横断して直線状に延びる第２のシート輸送経路と、
前記第１のシート輸送経路と前記第２のシート輸送経路との間に延びる複数のシート一時保管経路であって、該シート一時保管経路はすべて、前記第１のシート輸送経路から前記第２のシート輸送経路にシートを搬送する一方通行の経路であり、前記第１のシート輸送経路は、前記第１の投入口において第１のシートの流れを受け取り、この第１のシートの流れを前記第１の取出口から外に給送して印刷モジュールに投入し、該印刷モジュールは前記第１のシートの流れを処理して第２のシートの流れを前記第２のシート投入口に出力することで前記第２のシート輸送経路に運ぶ、複数のシート一時保管経路と、
前記第１のシート輸送経路および前記シート一時保管経路上のシート輸送装置に機能的に接続され、さらに、前記第１のシート輸送経路と前記シート一時保管経路とのあいだのゲートに機能的に接続されたコントローラと、
を備え、
前記コントローラは、前記シート輸送装置と前記ゲートとを制御して選択されたシートを前記第１のシートの流れからシート一時保管経路に方向転換させ、前記シート輸送装置を制御して前記選択されたシートを前記シート一時保管経路から前記第２のシートの流れに移動させ、この第２のシートの流れが前記第２のシート輸送経路に沿って、前記第２のシート投入口から前記第２のシート取出口に移動し、
前記コントローラは、さらに、前記シート輸送装置を制御して、前記選択されたシートが、前記シート一時保管経路から前記第２のシート輸送経路に移動する所定時間前に前記シート一時保管経路に確実に保持されるようにし、これにより、前記第２のシートの流れが第２のシート取出口を通過する際に所定のシート順序が実現するように、前記選択されたシートが前記第２のシートの流れの所定の位置において該第２のシートの流れに挿入される複数シート一時保管モジュール。
【請求項２】
底部側と、前記底部側と反対側の天井側を有するフレームと、
前記底部側の第１のシート投入口から前記天井側の第１のシート取出口へと前記フレームを実質的に垂直に横断して延びる第１のシート輸送経路と、
前記第１のシート輸送経路に平行で、前記天井側の第２のシート投入口から前記底部側の第２のシート取出口へと前記フレームを実質的に垂直に横断して延びる第２のシート輸送経路と、
前記第１のシート輸送経路と前記第２のシート輸送経路との間に実質的に水平に延びる複数のシート一時保管経路であって、該シート一時保管経路はすべて、前記第１のシート輸送経路から前記第２のシート輸送経路にシートを搬送する一方通行の経路であり、前記第１のシート輸送経路は、前記第１の投入口において第１のシートの流れを受け取り、この第１のシートの流れを前記第１の取出口から外に給送して印刷モジュールに投入し、該印刷モジュールは前記第１のシートの流れを処理して第２のシートの流れを前記第２のシート投入口に出力することで前記第２のシート輸送経路に運ぶ、複数のシート一時保管経路と、
前記第１のシート輸送経路および前記シート一時保管経路上のシート輸送装置に機能的に接続され、さらに、前記第１のシート輸送経路と前記シート一時保管経路とのあいだのゲートに機能的に接続されたコントローラと、
を備え、
前記コントローラは、前記シート輸送装置と前記ゲートとを制御して選択されたシートを前記第１のシートの流れからシート一時保管経路に方向転換させ、前記シート輸送装置を制御して前記選択されたシートを前記シート一時保管経路から前記第２のシートの流れに移動させ、この第２のシートの流れが前記第２のシート輸送経路に沿って、前記第２のシート投入口から前記第２のシート取出口に移動し、
前記コントローラは、さらに、前記シート輸送装置を制御して、前記選択されたシートが、前記シート一時保管経路から前記第２のシート輸送経路に移動する所定時間前に、前記シート一時保管経路に確実に保持されるようにし、これにより、前記第２のシートの流れが第２のシート取出口を通過する際に所定のシート順序が実現するように、前記選択されたシートが前記第２のシートの流れの所定の位置において、該第２のシートの流れに挿入される複数シート一時保管モジュール。
【請求項３】
第１の印刷モジュールと、第２の印刷モジュールと、前記第１の印刷モジュールと前記第２の印刷モジュールとの間の複数シート一時保管モジュールと、を備える印刷システムであって、
前記一時保管モジュールは、
前記第１の印刷モジュールに隣接する第１の側と、前記第１の側とは反対側で、前記第２の印刷モジュールに隣接する第２の側とを有するフレームと、
前記第１の側の第１のシート投入口から前記第２の側の第１のシート取出口へと前記フレームを横断して直線状に延びる第１のシート輸送経路と、
前記第１のシート輸送経路に平行で、前記第２の側の第２のシート投入口から前記第１の側の第２のシート取出口へと前記フレームを横断して直線状に延びる第２のシート輸送経路と、
前記第１のシート輸送経路と前記第２のシート輸送経路との間に延びる複数のシート一時保管経路であって、該シート一時保管経路はすべて、前記第１のシート輸送経路から前記第２のシート輸送経路にシートを搬送する一方通行の経路であり、前記第１のシート輸送経路は、前記第１の投入口で、前記第１の印刷モジュールから第１のシートの流れを受け取り、前記シートの流れを前記第１のシート取出口から出して前記第２の印刷モジュールへと給送し、該第２の印刷モジュールは前記第１のシートの流れを処理して第２のシートの流れを前記第２のシート投入口に出力することで前記第２のシート輸送経路に運ぶ、複数のシート一時保管経路と、
前記第１のシート輸送経路および前記シート一時保管経路上のシート輸送装置に機能的に接続され、さらに、前記第１のシート輸送経路と前記シート一時保管経路とのあいだのゲートに機能的に接続されたコントローラと、
を備え、
前記コントローラは、前記シート輸送装置と前記ゲートとを制御して選択されたシートを前記第１のシートの流れからシート一時保管経路に方向転換させ、前記シート輸送装置を制御して前記選択されたシートを前記シート一時保管経路から前記第２のシートの流れに移動させ、この第２のシートの流れが前記第２のシート輸送経路に沿って、前記第２のシート投入口において前記第２の印刷モジュールから前記第２のシート取出口において前記第１の印刷モジュールに移動し、
前記コントローラは、さらに、前記シート輸送装置を制御して、前記選択されたシートが、前記シート一時保管経路から前記第２のシート輸送経路に移動する所定時間前に前記シート一時保管経路に確実に保持されるようにし、これにより、前記第２のシートの流れが第２のシート取出口を通過する際に所定のシート順序が実現するように、前記選択されたシートが前記第２のシートの流れの所定の位置で、該第２のシートの流れに挿入される
印刷システム。
【請求項４】
第１の印刷モジュールと、前記第１の印刷モジュールの上に積重ねた第２の印刷モジュールと、前記第１の印刷モジュールと前記第２の印刷モジュールとの間の複数シート一時保管モジュールと、を備える印刷システムであって、前記一時保管モジュールは、
前記第１の印刷モジュールに隣接する底部側と、前記第２の印刷モジュールに隣接する天井側とを有するフレームと、
前記底部側の第１のシート投入口から前記天井側の第１のシート取出口へと前記フレームを実質的に垂直に横断して延びる第１のシート輸送経路と、
前記第１のシート輸送経路に平行で、前記天井側の第２のシート投入口から前記底部側の第２のシート取出口へと前記フレームを実質的に垂直に横断して延びる第２のシート輸送経路と、
前記第１のシート輸送経路と前記第２のシート輸送経路との間に実質的に水平に延びる複数のシート一時保管経路であって、該シート一時保管経路はすべて、前記第１のシート輸送経路から前記第２のシート輸送経路にシートを搬送する一方通行の経路であり、前記第１のシート輸送経路は、前記第１の投入口で、前記第１の印刷モジュールから、第１のシートの流れを受け取り、前記第１のシートの流れを前記第１のシート取出口から出して前記第２の印刷モジュールへと給送し、該第２の印刷モジュールは前記第１のシートの流れを処理して第２のシートの流れを前記第２のシート投入口に出力することで前記第２のシート輸送経路に運ぶ、複数のシート一時保管経路と、
前記第１のシート輸送経路および前記シート一時保管経路上のシート輸送装置に機能的に接続され、さらに、前記第１のシート輸送経路と前記シート一時保管経路とのあいだのゲートに機能的に接続されたコントローラと、
を備え、
前記コントローラは、前記シート輸送装置と前記ゲートとを制御して選択されたシートを前記第１のシートの流れからシート一時保管経路に方向転換させ、前記シート輸送装置を制御して前記選択されたシートを前記シート一時保管経路から前記第２のシートの流れに移動させ、この第２のシートの流れが前記第２のシート輸送経路に沿って、前記第２のシート投入口において前記第２の印刷モジュールから、前記第２のシート取出口において前記第１の印刷モジュールに移動し、
前記コントローラは、さらに、前記シート輸送装置を制御して、前記選択されたシートが、前記シート一時保管経路から前記第２のシート輸送経路に移動する所定時間前に前記シート一時保管経路に確実に保持されるようにし、これにより、前記第２のシートの流れが第２のシート取出口を通過する際に所定のシート順序が実現するように、前記選択されたシートが前記第２のシートの流れの所定の位置で、該第２のシートの流れに挿入される印刷システム。